(57)【要約】【課題】深溝玉軸受において内輪及び外輪の肩部を拡大させていても、玉の組み込み性が低下するのを防ぐ。【解決手段】深溝玉軸受１は、軸方向一方側の内肩部２２よりも高い内拡大肩部２３を軸方向他方側に有している内輪２と、軸方向一方側に軸方向他方側の外肩部３３よりも高い外拡大肩部３２を有している外輪３とを備えている。内輪２の内肩部２２には、軸受組み立てのために外輪３の内周面と内輪２の外周面とを周方向の一部で接近させると、外拡大肩部３２を収容可能とする内側凹部２４が形成されている。外輪３の外肩部３３には、軸受組み立てのために外輪３の内周面と内輪２の外周面とを周方向の一部で接近させると、内拡大肩部２３を収容可能とする外側凹部３４が形成されている。【選択図】      図１
2016200240.tif 000002
【特許請求の範囲】
【請求項１】
外周に内軌道溝が形成され軸方向一方側の肩部よりも高い内拡大肩部を軸方向他方側に有している内輪と、内周に外軌道溝が形成され軸方向一方側に軸方向他方側の肩部よりも高い外拡大肩部を有している外輪と、前記内軌道溝と前記外軌道溝との間に介在している複数の玉と、複数の前記玉を周方向に間隔をあけて保持する保持器と、を備え、
前記内輪の軸方向一方側の肩部には、軸受組み立てのために前記外輪の内周面と前記内輪の外周面とを周方向の一部で接近させると、前記外拡大肩部を収容可能とする内側凹部が形成されており、
前記外輪の軸方向他方側の肩部には、軸受組み立てのために前記外輪の内周面と前記内輪の外周面とを周方向の一部で接近させると、前記内拡大肩部を収容可能とする外側凹部が形成されている、深溝玉軸受。
【請求項２】
前記内輪の軸方向一方側の肩部は、前記内軌道溝の一部を構成する円弧面を軸方向他方側に有していると共に前記内側凹部の側壁面を軸方向一方側に有する内側突部を備え、
前記外輪の軸方向他方側の肩部は、前記外軌道溝の一部を構成する円弧面を軸方向一方側に有していると共に前記外側凹部の側壁面を軸方向他方側に有する外側突部を備えている、請求項１に記載の深溝玉軸受。
【請求項３】
前記内拡大肩部の軸方向寸法は、前記外側凹部の軸方向寸法よりも小さく、前記外拡大肩部の軸方向寸法は、前記内側凹部の軸方向寸法よりも小さい、請求項１又は２に記載の深溝玉軸受。
【請求項４】
前記内側凹部の深さと前記外側凹部の深さとが同じである、請求項１〜３のいずれか一項に記載の深溝玉軸受。
【発明の詳細な説明】
【技術分野】
【０００１】
本発明は、深溝玉軸受に関する。
【背景技術】
【０００２】
ラジアル荷重の他にアキシャル荷重を受けることのできる転がり軸受として、円すいころ軸受及びアンギュラ玉軸受が知られている。しかし、円すいころ軸受及びアンギュラ玉軸受は軸方向についての予圧の設定が必要であり、ハウジングに対する軸受の組み付け性が多少複雑となる。
【０００３】
深溝玉軸受は、ハウジングへの組み付けの際に予圧の設定が不要であり、また、アキシャル荷重を受けることが可能である。しかし、アキシャル荷重が大きくなると、内輪又は外輪の肩部に玉が乗り上げ、玉に傷がついたり内輪や外輪に圧痕がついたりし、軸受の早期はく離が発生するおそれがある。
【０００４】
そこで、このような玉の乗り上げに関する問題点を解消するために、外輪の軸方向一方側の肩部と内輪の軸方向他方側の肩部とを、それぞれ高くした深溝玉軸受が提案されている（例えば、特許文献１参照）。
【先行技術文献】
【特許文献】
【０００５】
【特許文献１】特開２０１４−９８４６０号公報
【発明の概要】
【発明が解決しようとする課題】
【０００６】
深溝玉軸受の組み立ては次のようにして行われる。図４に示すように、内輪９１の外周側に外輪９２を配置し、内輪９１の外周面９１ａと外輪９２の内周面９２ａとを周方向の一部（図４では下部）で接近させ、周方向の他部（図４では上部）から玉９３を内輪９１と外輪９２との間に入れる。すなわち、内輪９１の外周面９１ａと外輪９２の内周面９２ａとを周方向の一部で接近させると、その一部から１８０度離れた他部において、内輪９１と外輪９２との間に広い玉入れ用の開口部Ｋ３が得られる。なお、図４に示す軸受は、内輪９１及び外輪９２において肩部を高くしていない場合の深溝玉軸受である。この開口部Ｋ３の径方向寸法Ａ１は、玉９３の直径Ｄよりも大きいため、この開口部Ｋ３から玉９３を入れる作業を容易に行うことが可能となる。
【０００７】
これに対して、図５は、肩部への玉の乗り上げに関する問題点を解消するために、外輪９２の軸方向一方側の肩部９９及び内輪９１の軸方向他方側の肩部９８を高くした場合の深溝玉軸受の内輪９１及び外輪９２を示している。この場合の組み立ても同様であり、内輪９１の外周側に外輪９２を配置し、外輪９２の内周面９２ａと内輪９１の外周面９１ａとを周方向の一部（図５では下部）で接近させる。この場合、接近させた前記一部から１８０度離れた他部（図５では上部）において形成される玉入れ用の開口部Ｋ３は、肩部９８，９９を高くしたことによって狭くなる（径方向の寸法がＡ０＜Ａ１となる）。このため、肩部９８，９９を高くしている深溝玉軸受では、玉９３の組み込み性が低下してしまう。
【０００８】
そこで、本発明は、深溝玉軸受において内輪及び外輪の肩部を拡大させていても、玉の組み込み性が低下するのを防ぐことを目的とする。
【課題を解決するための手段】
【０００９】
本発明の深溝玉軸受は、外周に内軌道溝が形成され軸方向一方側の肩部よりも高い内拡大肩部を軸方向他方側に有している内輪と、内周に外軌道溝が形成され軸方向一方側に軸方向他方側の肩部よりも高い外拡大肩部を有している外輪と、前記内軌道溝と前記外軌道溝との間に介在している複数の玉と、複数の前記玉を周方向に間隔をあけて保持する保持器と、を備え、前記内輪の軸方向一方側の肩部には、軸受組み立てのために前記外輪の内周面と前記内輪の外周面とを周方向の一部で接近させると、前記外拡大肩部を収容可能とする内側凹部が形成されており、前記外輪の軸方向他方側の肩部には、軸受組み立てのために前記外輪の内周面と前記内輪の外周面とを周方向の一部で接近させると、前記内拡大肩部を収容可能とする外側凹部が形成されている。
【００１０】
本発明によれば、内輪が内拡大肩部を有し外輪が外拡大肩部を有していることにより、アキシャル荷重による玉の乗り上げを抑制することができる。そして、軸受組み立てのために、内輪の外周側に外輪を配置し、両者を偏心させて外輪の内周面と内輪の外周面とを周方向の一部で接近させた場合に、外輪の外拡大肩部を内輪の内側凹部に収容させることができ、また、内輪の内拡大肩部を外輪の外側凹部に収容させることができる。これにより、玉入れ用の開口部の径方向寸法が小さくなるのを抑制し、玉の組み込み性が悪化するのを防止することが可能となる。
【００１１】
また、前記内輪の軸方向一方側の肩部は、前記内軌道溝の一部を構成する円弧面を軸方向他方側に有していると共に前記内側凹部の側壁面を軸方向一方側に有する内側突部を備え、前記外輪の軸方向他方側の肩部は、前記外軌道溝の一部を構成する円弧面を軸方向一方側に有していると共に前記外側凹部の側壁面を軸方向他方側に有する外側突部を備えているのが好ましい。
この場合、内輪の軸方向一方側の肩部に内側凹部が形成されているが、この肩部は内軌道溝の一部を構成する円弧面を有した内側突部を備えていることから、内輪にアキシャル荷重が作用したとしても、この肩部に対する玉の乗り上げを抑制することが可能となる。また、外輪の軸方向他方側の肩部に外側凹部が形成されているが、この肩部は外軌道溝の一部を構成する円弧面を有した外側突部を備えていることから、外輪にアキシャル荷重が作用したとしても、この肩部に対する玉の乗り上げを抑制することが可能となる。
【００１２】
また、前記内拡大肩部の軸方向寸法は、前記外側凹部の軸方向寸法よりも小さく、前記外拡大肩部の軸方向寸法は、前記内側凹部の軸方向寸法よりも小さいのが好ましい。
この場合、軸受組み立てのために、内輪の外周側に外輪を配置し、両者を偏心させて外輪の内周面と内輪の外周面とを周方向の一部で接近させると、内拡大肩部の外周面と、外側凹部の内周面（底面）とを接触させ、また、外拡大肩部の内周面と、内側凹部の外周面（底面）とを接触させることが可能となり、玉入れ用の開口部を効果的に広げることができる。
【００１３】
また、前記内側凹部の深さと前記外側凹部の深さとが同じであるのが好ましい。
この場合、玉入れ用の開口部を、肩部を高くしていない深溝玉軸受の場合と同等に設定する構成を得ることが可能となる。
【発明の効果】
【００１４】
本発明の深溝玉軸受によれば、アキシャル荷重による肩部への玉の乗り上げを抑制することができると共に、組み立ての際の玉の組み込み性が悪化するのを防止することが可能となる。
【図面の簡単な説明】
【００１５】
【図１】深溝玉軸受の実施の一形態を示す縦断面図である。
【図２】軸受の組み立てを説明するための内輪及び外輪の断面図である。
【図３】図２に示す内輪及び外輪の下部を示す断面図である。
【図４】内輪及び外輪において肩部を高くしていない深溝玉軸受の内輪と外輪とを示す断面図である。
【図５】外輪の軸方向一方側の肩部及び内輪の軸方向他方側の肩部を高くした場合の従来の深溝玉軸受の内輪及び外輪を示している。
【発明を実施するための形態】
【００１６】
以下、本発明の実施の形態を図面に基づいて説明する。
〔深溝玉軸受１について〕
図１は、深溝玉軸受１の実施の一形態を示す縦断面図である。この深溝玉軸受１は、内輪２と、この内輪２の径方向外側に設けられている外輪３と、これら内輪２と外輪３との間に設けられている複数の玉４と、これらの玉４を保持している環状の保持器５とを備えている。
【００１７】
内輪２は、軸受鋼や機械構造用鋼等を用いて形成された環状の部材であり、その外周に、玉４が転動する内軌道溝２１が形成されている。そして、この内輪２は、内軌道溝２１の軸方向一方側に第１の肩部２２、及び、内軌道溝２１の軸方向他方側に第２の肩部２３を有している。そして、内軌道溝２１の底からの高さが、第１の肩部２２よりも第２の肩部２３の方が高くなっている。以下、内輪２において、軸方向一方側に設けられている第１の肩部２２を内肩部２２と呼び、軸方向他方側に設けられている第２の肩部２３を内拡大肩部２３と呼ぶ。つまり、内輪２において、軸方向一方側の内肩部２２の底面２４ｂと軸方向他方側の内拡大肩部２３の外周面２３ａとの間には径方向の段差が生じている。そして、この段差の径方向寸法を「γ」とする。
【００１８】
外輪３は、軸受鋼や機械構造用鋼等を用いて形成された環状の部材であり、その内周に、玉４が転動する外軌道溝３１が形成されている。そして、この外輪３は、外軌道溝３１の軸方向一方側に第１の肩部３２、及び、外軌道溝３１の軸方向他方側に第２の肩部３３を有している。そして、外軌道溝３１の底からの高さが、第２の肩部３３よりも第１の肩部３２の方が高くなっている。以下、外輪３において、軸方向一方側に設けられている第１の肩部３２を外拡大肩部３２と呼び、軸方向他方側に設けられている第２の肩部３３を外肩部３３と呼ぶ。つまり、外輪３において、軸方向一方側の外拡大肩部３２の内周面３２ａと軸方向他方側の内肩部３３の底面２４ｂとの間には径方向の段差が生じている。そして、この段差の径方向寸法を、前記内輪２における段差と同じ「γ」とする。
【００１９】
内輪２の内拡大肩部２３及び外輪３の外拡大肩部３２が、深溝玉軸受１に作用する図１の矢印Ｙ１で示す方向のアキシャル荷重を受ける側の肩部となる。このように内輪２が内軌道溝２１の底から高くなっている内拡大肩部２３を有しており、外輪３が外軌道溝３１の底から高くなっている外拡大肩部３２を有していることにより、矢印Ｙ１方向のアキシャル荷重による肩部２３，３２への玉４の乗り上げを抑制することができ、矢印Ｙ１方向の高アキシャル荷重を受けることが可能となる。
また、この深溝玉軸受１では、図１の矢印Ｙ２で示すアキシャル荷重を受けることができる。つまり、内輪２の内肩部２２及び外輪３の外肩部３３が、矢印Ｙ２方向のアキシャル荷重を受ける側の肩部となっている。矢印Ｙ２で示すアキシャル荷重は、矢印Ｙ１で示すアキシャル荷重と反対方向の荷重であり、矢印Ｙ１で示すアキシャル荷重よりも小さい。
【００２０】
玉４は、軸受鋼等を用いて形成された部材であり、内軌道溝２１と外軌道溝３１との間に複数介在し、これら内軌道溝２１及び外軌道溝３１を転動する。
【００２１】
保持器５は、玉４の軸方向一方側に位置する環状部１１と、この環状部１１から軸方向他方側に延在している複数の柱部１２とを有しており、いわゆる冠形の保持器である。環状部１１は、円環形状の部分であり、外輪３の外拡大肩部３２と内輪２の内肩部２２との間に位置している。環状部１１の軸方向他方側であって周方向で隣り合う柱部１２，１２の間が、玉４を収容するポケットとなる。これにより、保持器５は、複数の玉４を周方向に間隔をあけて保持することができる。保持器５は、樹脂製（合成樹脂製）であり、射出成形によって成形することができる。
【００２２】
ここで、図１に示す深溝玉軸受１の組み立てについて説明する。組み立ては次のようにして行われる。図２に示すように、内輪２の外周側に外輪３を配置し、両者を偏心させて内輪２の外周面と外輪３の内周面とを周方向の一部（図２では下部）で接近させ、更に、軸方向両側の肩部同士を接触させる。すると、その一部から１８０度離れた周方向の他部（図２では上部）において、内輪２と外輪３との間に、軸方向一方側の開口部Ｋ１が形成され、軸方向他方側の開口部Ｋ２が形成される。
そこで、後にも説明するが、これら開口部Ｋ１，Ｋ２のいずれか一方から、玉４を一つずつ内輪２と外輪３との間に入れる。図２の場合、開口部Ｋ２を玉入れ用の開口部としている。この開口部Ｋ２の径方向寸法Ａ２は、玉４の直径Ｄよりも大きいため（Ａ２＞Ｄ）、この開口部Ｋ２から玉４を入れる作業を容易に行うことが可能となる。
【００２３】
そして、全ての玉４を内輪２と外輪３との間に介在させた状態としてから、保持器５を軸方向一方側から開口部Ｋ１を通じて玉４に接近させ、保持器５を内輪２と外輪３との間に取り付け、保持器５のポケットに玉４を保持させた状態とする（図１参照）。
以上のようにして、深溝玉軸受１の組み立てが完了する。
【００２４】
前記のように玉４の組み込み性を確保するために、つまり、前記開口部Ｋ２の径方向寸法Ａ２（Ａ２＞Ｄ）を確保するために、本実施形態の内輪２及び外輪３それぞれにおいて、肩部が次のように構成されている。
【００２５】
〔内輪２の軸方向一方側の内肩部２２について〕
図１に示すように、内肩部２２には、軸受組み立てのために、内側凹部２４が形成されている。内側凹部２４は、前記のとおり外輪３の内周面と内輪２の外周面とを周方向の一部（図２では下部）で接近させ、更に軸方向両側の肩部同士を接触させると、外拡大肩部３２を収容可能とする。
また、図１に示すように、この内肩部２２は、内側突部２５を備えている。内側突部２５は、内軌道溝２１の一部を構成する円弧面２１ａを軸方向他方側に有していると共に、内側凹部２４の側壁面２４ａを軸方向一方側に有する凸条部分である。この内側突部２５が、内輪２が有する軸方向一方側の実質的な肩部、つまり、矢印Ｙ２方向のアキシャル荷重を受ける部分となる。
【００２６】
内側凹部２４は、内側突部２５の軸方向一方側に設けられている環状の溝であり、この溝の底面２４ｂは、内輪２の軸線を中心とする円筒面からなる。そして、この底面２４ｂから径方向外側に向かうにしたがって軸方向他方側に僅かに傾斜する面として、前記側壁面２４ａが設けられている。内側凹部２４の深さ寸法（内側突部２５の外周面２５ａから底面２４ｂまでの径方向寸法）を「γ／２」としている。
【００２７】
〔外輪３の軸方向一方側の外拡大肩部３２について〕
図１に示すように、外拡大肩部３２は、前記内肩部２２の内側凹部２４と径方向に対向する内周面３２ａを有している。この内周面３２ａは、外輪３の軸線を中心とする円筒面からなる。このため、内周面３２ａと底面２４ｂとは平行となる。また、外拡大肩部３２は、軸方向他方側に外軌道溝３１の一部を構成する円弧面３１ａを有している。
軸方向他方側の外肩部３３が有する（後述の）外側突部３５の内周面３５ａを含む仮想円筒面を基準円筒面Ｓ１とした場合、外拡大肩部３２の内周面３２ａは、この基準円筒面Ｓ１から径方向内側に所定の寸法（例えばγ／２）の位置にある。そして、外拡大肩部３２を、この内周面３２ａから径方向外側に寸法γ／２の範囲までの部分と定義する。なお、外拡大肩部３２の境界（外輪本体部３９と外拡大肩部３２との境界）を二点鎖線Ｓ１１で示している。
【００２８】
そして、外拡大肩部３２の軸方向寸法は、内側凹部２４の軸方向寸法よりも小さい。図３は、図２に示す内輪２及び外輪３の下部を示す断面図である。具体的に説明すると、外拡大肩部３２の内周面３２ａの軸方向寸法Ｒ２は、内側凹部２４の底面２４ｂの軸方向寸法Ｒ１よりも小さく（Ｒ２＜Ｒ１）、また、外拡大肩部３２の基部（前記境界を示す二点鎖線Ｓ１１）における軸方向寸法Ｒ２２は、内側凹部２４の径方向外側の開口端における軸方向寸法Ｒ１１よりも小さい（Ｒ２２＜Ｒ１１）。このように、外拡大肩部３２は、径方向全体にわたって内側凹部２４よりも軸方向寸法が小さくなっている。
【００２９】
このため、図３に示すように、外拡大肩部３２の全てが内側凹部２４に収容された状態となる。そして、外拡大肩部３２の内周面３２ａは、内側凹部２４の底面２４ｂに面接触した状態となる。また、内側凹部２４の側壁面２４ａが、外軌道溝３１の一部を構成する前記円弧面３１ａと隙間を有して対向する状態となる。
【００３０】
〔外輪３の軸方向他方側の外肩部３３について〕
図１に示すように、外肩部３３には、軸受組み立てのために、外側凹部３４が形成されている。外側凹部３４は、前記のとおり外輪３の内周面と内輪２の外周面とを周方向の一部（図２では下部）で接近させ、更に軸方向両側の肩部同士を接触させると、内拡大肩部２３を収容可能とする。
また、図１に示すように、この外肩部３３は、外側突部３５を備えている。外側突部３５は、外軌道溝３１の一部を構成する円弧面３１ｂを軸方向一方側に有していると共に、外側凹部３４の側壁面３４ａを軸方向他方側に有する凸条部分である。この外側突部３５が、外輪３が有する軸方向他方側の実質的な肩部、つまり、矢印Ｙ２方向のアキシャル荷重を受ける部分となる。
【００３１】
外側凹部３４は、外側突部３５の軸方向他方側に設けられている環状の溝であり、この溝の底面３４ｂは、外輪３の軸線を中心とする円筒面からなる。そして、この底面３４ｂから径方向内側に向かうにしたがって軸方向一方側に僅かに傾斜する面として、前記側壁面３４ａが設けられている。外側凹部３４の深さ寸法（外側突部３５の内周面３５ａから底面３４ｂまでの径方向寸法）を「γ／２」としている。この深さ寸法は、内側凹部２４の深さと同じである。
【００３２】
〔内輪２の軸方向他方側の内拡大肩部２３について〕
図１に示すように、内拡大肩部２３は、前記外肩部３３の外側凹部３４と径方向に対向する外周面２３ａを有している。この外周面２３ａは、内輪２の軸線を中心とする円筒面からなる。このため、外周面２３ａと底面３４ｂとは平行となる。また、内拡大肩部２３は、軸方向一方側に内軌道溝２１の一部を構成する円弧面２１ｂを有している。
軸方向一方側の内肩部２２が有する内側突部２５の外周面２５ａを含む仮想円筒面を基準円筒面Ｓ２とした場合、内拡大肩部２３の外周面２３ａは、この基準円筒面Ｓ２から径方向外側に所定の寸法（例えばγ／２）の位置にある。そして、内拡大肩部２３を、この外周面２３ａから径方向内側に寸法γ／２の範囲までの部分と定義する。なお、内拡大肩部２３の境界（内輪本体部２９と内拡大肩部２３との境界）を二点鎖線Ｓ２２で示している。
【００３３】
そして、内拡大肩部２３の軸方向寸法は、外側凹部３４の軸方向寸法よりも小さい。具体的に説明すると、図３に示すように、内拡大肩部２３の外周面２３ａの軸方向寸法Ｌ２は、外側凹部３４の底面３４ｂの軸方向寸法Ｌ１よりも小さく（Ｌ２＜Ｌ１）、また、内拡大肩部２３の基部（前記境界を示す二点鎖線Ｓ２２）における軸方向寸法Ｌ２２は、外側凹部３４の径方向内側の開口端における軸方向寸法Ｌ１１よりも小さい（Ｌ２２＜Ｌ１１）。このように、内拡大肩部２３は、径方向全体にわたって外側凹部３４よりも軸方向寸法が小さくなっている。
【００３４】
このため、図３に示すように、内拡大肩部２３の全てが外側凹部３４に収容された状態となる。そして、内拡大肩部２３の外周面２３ａは、外側凹部３４の底面３４ｂに面接触した状態となる。また、外側凹部３４の側壁面３４ａが、内軌道溝２１の一部を構成する前記円弧面２１ｂと対向する状態となる。
【００３５】
〔本実施形態の深溝玉軸受１について〕
以上のように、本実施形態の深溝玉軸受１では、内輪２では、大きなアキシャル荷重（図１において矢印Ｙ１）を受ける側となる内拡大肩部２３における直径（外径）φＩＤＬを大きくし、また、外輪３では、この大きなアキシャル荷重（図１において矢印Ｙ１）を受ける側となる外拡大肩部３２における直径（内径）φＯＤＲを小さくしている。
そして、内輪２では、小さなアキシャル荷重（図１において矢印Ｙ２）を受ける側となる内肩部２２に、内側凹部２４に因る径方向の小段差（寸法γ／２の段差）が設けられ、また、外輪３では、この小さなアキシャル荷重（図１において矢印Ｙ２）を受ける側となる外肩部３３に、外側凹部３４に因る径方向の小段差（寸法γ／２の段差）が設けられた構成となる。
【００３６】
以上のように、本実施形態では、内側凹部２４の深さ寸法、つまり、前記基準円筒面Ｓ２から底面２４ｂまでの径方向寸法が「γ／２」となり、また、外側凹部３４の深さ寸法、つまり、前記基準円筒面Ｓ１から底面３４ｂまでの径方向寸法が「γ／２」となる。また、内拡大肩部２３及び外拡大肩部３２それぞれの、前記基準円筒面（Ｓ１，Ｓ２）からの高さ（径方向寸法）が「γ／２」となっている。
【００３７】
そして、内輪２の内肩部２２の直径（肩径）φＩＤＲ、内輪２の内拡大肩部２３の直径（肩径）φＩＤＬ、外輪３の外肩部３３の直径（肩径）φＯＤＬ、及び、外輪３の外拡大肩部３２の直径（肩径）φＯＤＲは、次の式（１）（２）（３）（４）となるように設定することができる。なお、φＩＤＲは内側突部２５の外周面２５ａにおける直径であり、φＩＤＬは内拡大肩部２３の外周面２３ａにおける直径であり、φＯＤＬは外側突部３５の内周面３５ａにおける直径であり、φＯＤＲは外拡大肩部３２の内周面３２ａにおける直径である。
【００３８】
φＩＤＲ＝φＩＤ      ・・・（１）
φＩＤＬ＝φＩＤ＋γ／２  ・・・（２）
φＯＤＬ＝φＯＤ      ・・・（３）
φＯＤＲ＝φＯＤ−γ／２  ・・・（４）
【００３９】
ただし、φＩＤは、図４に示す軸方向一方側と他方側とで肩径が同じである深溝玉軸受（通常軸受）の内輪９１の当該肩径（直径）であり、φＯＤは、図４に示す軸方向一方側と他方側とで肩径が同じである深溝玉軸受（通常軸受）の外輪９２の当該肩径（直径）である。
つまり、本実施形態では、内輪２の軸方向他方側の肩部（内拡大肩部２３）を、図４に示す前記通常軸受の場合よりも、γ／４について高くしている（直径でγ／２について大きくなっている）。そして、外輪３の軸方向一方側の肩部を、前記通常軸受の場合よりも、γ／４について高くしている（直径でγ／２について小さくなっている。）
【００４０】
これにより、図２に示すように、軸受の組み立てのために、内輪２の外周側に外輪３を配置し、両者を偏心させて外輪３の内周面と内輪２の外周面とを周方向の一部（図２では下部）で接近させ、更に軸方向両側の肩部同士を接触させると、前記一部と１８０度離れた周方向の他部（図２では上部）に開口部Ｋ２が形成されるが、この開口部Ｋ２の径方向寸法Ａ２を、図４に示す前記通常軸受の内輪９１と外輪９２との間に形成される開口部Ｋ３の径方向寸法Ａ１と同じとすることができる（Ａ２＝Ａ１）。そして、この径方向寸法Ａ２は、玉４の直径Ｄよりも大きい（Ａ２＞Ｄ）。
したがって、本実施形態の深溝玉軸受１では、肩部（２３，３２）を高くしているが、図５に示す従来の軸受と異なり、開口部Ｋ２から玉４を容易に組み入れることが可能となる。
【００４１】
前記のように「Ａ２＝Ａ１」となることについて具体的に説明する。
図２において、開口部Ｋ２の径方向寸法Ａ２は、次の式（５）となる。
Ａ２＝φＯＤＬ＋γ／２−φＩＤＬ    ・・・（５）
この式（５）と前記式（２）（３）とにより径方向寸法Ａ２は、次の式（６）となる。
Ａ２＝φＯＤ＋γ／２−（φＩＤ＋γ／２）
＝φＯＤ−φＩＤ            ・・・（６）
そして、図４によれば、φＯＤ−φＩＤ＝Ａ１であることから、式（６）より「Ａ２＝Ａ１」となる。
【００４２】
なお、図２において、玉入れ側と反対の開口部Ｋ１の径方向寸法Ａ３も、図４に示す前記通常軸受における開口部Ｋ３の径方向寸法Ａ１と同じとなる（Ａ３＝Ａ１）。
すなわち、図２、図４、前記式（１）、及び式（４）より、
Ａ３＝φＯＤＲ＋γ／２−φＩＤＲ
＝（φＯＤ−γ／２）＋γ／２−φＩＤ
＝φＯＤ−φＩＤ
＝Ａ１
【００４３】
このように、本実施形態の深溝玉軸受１が有する内輪２及び外輪３では、内側凹部２４の基準円筒面Ｓ２からの深さと、外側凹部３４の基準円筒面Ｓ１からの深さとが同じであり、この深さがγ／２となっている。そして、外拡大肩部３２の基準円筒面Ｓ１からの高さと内拡大肩部２３の基準円筒面Ｓ２からの高さとが同じであり、この高さがγ／２となっている。このような内輪２と外輪３とを有していることで、本実施形態（図２参照）の玉入れ用の開口部Ｋ２の広さを、図４に示す肩部を高くしていない前記通常軸受の玉入れ用の開口部Ｋ３の広さと、同等に設定する構成を得ることが可能となる。
【００４４】
以上、本実施形態の深溝玉軸受１によれば、内輪２が内拡大肩部２３を有しており、外輪３が外拡大肩部３２を有していることにより、図１に示す矢印Ｙ１方向の大きなアキシャル荷重による玉４の軌道への乗り上げを抑制することができる。
そして、この深溝玉軸受１では、内輪２の軸方向一方側の内肩部２２に内側凹部２４が形成されており、また、外輪３の軸方向他方側の外肩部３３に外側凹部３４が形成されている。そして、軸受組み立てのために、内輪２の外周側に外輪３を配置し、両者を偏心させて外輪３の内周面と内輪２の外周面とを周方向の一部で接近させると（図２参照）、外拡大肩部３２を内側凹部２４に収容させ、内拡大肩部２３を外側凹部３４に収容させることができる。これにより、玉入れ用の開口部Ｋ２の径方向寸法Ａ２が小さくなるのを抑制し、内輪２と外輪３との間への玉４の組み込み性が悪化するのを防止することが可能となる。
【００４５】
また、本実施形態では（図３参照）、内拡大肩部２３の軸方向寸法は、外側凹部３４の軸方向寸法よりも小さく、また、外拡大肩部３２の軸方向寸法は、内側凹部２４の軸方向寸法よりも小さくなっている。このため、内拡大肩部２３の外周面２３ａと、外側凹部３４の内周面（底面３４ｂ）とを接触させ、また、外拡大肩部３２の内周面３２ａと、内側凹部２４の外周面（底面２４ｂ）とを接触させることが可能となり、玉入れ用の開口部Ｋ２を効果的に広げることができる。
【００４６】
また、本実施形態では（図１参照）、内輪２の内肩部２２に内側凹部２４が形成されているが、この内肩部２２は内軌道溝２１の一部を構成する円弧面２１ａを有している内側突部２５を備えていることから、内輪２に図１の矢印Ｙ２で示すような小さなアキシャル荷重が作用したとしても、内軌道溝２１に対する玉４の乗り上げを抑制することが可能となる。
また、外輪３の外肩部３３に外側凹部３４が形成されているが、この外肩部３３は外軌道溝３１の一部を構成する円弧面３１ｂを有している外側突部３５を備えていることから、外輪３に図１の矢印Ｙ２で示すような小さなアキシャル荷重が作用したとしても、外軌道溝３１に対する玉４の乗り上げを抑制することが可能となる。
【００４７】
つまり、本実施形態の深溝玉軸受１は、軸方向両側からのアキシャル荷重を受けることが可能であり、特に一方（図１の矢印Ｙ１方向）からの大きなアキシャル荷重を受けることが可能となる。そして、この深溝玉軸受１の組み立てにおいて、内輪２と外輪３との間から玉４を組み込む際、開口部Ｋ２の径方向寸法Ａ２が確保されており、組み込み性が悪化するのを防止することが可能となる。
【００４８】
なお、前記実施形態では、内輪２及び外輪３の肩径が、前記の式（１）（２）（３）（４）を満たすように設定した場合について説明したが、他の条件を満たすように設定してもよい。内肩部２２の肩径φＩＤＲは、前記通常軸受の内輪の肩径と異なっていてもよく、また、外肩部３３の肩径φＯＤＬは、前記通常軸受の外輪の肩径と異なっていてもよい。
また、外側凹部３４及び内側凹部２４の深さをγ／２とする場合において、外拡大肩部３２の基準円筒面Ｓ１からの高さ、及び内拡大肩部２３の基準円筒面Ｓ２からの高さを、γ／２よりも大きくしてもよく、また、小さくしてもよい。
また、これとは反対に、外拡大肩部３２の基準円筒面Ｓ１からの高さ、及び内拡大肩部２３の基準円筒面Ｓ２からの高さをγ／２とする場合において、外側凹部３４及び内側凹部２４の深さをγ／２よりも大きくしてもよく、また、小さくしていてもよい。
つまり、玉入れ用の前記開口部Ｋ２の径方向寸法Ａ２を、前記通常軸受の開口部Ｋ１の径方向寸法Ａ１と同一でなくてもよく、径方向寸法Ａ２が多少小さくなるように各部の肩径を設定してもよい。
【００４９】
以上のとおり開示した実施形態はすべての点で例示であって制限的なものではない。つまり、本発明の深溝玉軸受は、図示する形態に限らず本発明の範囲内において他の形態のものであってもよい。
【符号の説明】
【００５０】
１：深溝玉軸受      ２：内輪      ３：外輪      ４：玉
５：保持器      ２１：内軌道溝        ２１ａ：円弧面
２１ｂ：円弧面      ２２：内肩部      ２３：内拡大肩部
２４：内側凹部      ２４ａ：側壁面      ２５：内側突部
３１：外軌道溝      ３１ａ：円弧面      ３１ｂ：円弧面
３２：外拡大肩部      ３３：外肩部      ３４：外側凹部
３４ａ：側壁面      ３５：外側突部
Ｌ１，Ｌ２，Ｒ１，Ｒ２：軸方向寸法
Ｌ１１，Ｌ２２，Ｒ１１，Ｒ２２：軸方向寸法
【図１】
2016200240.tif 000003
【図２】
2016200240.tif 000004
【図３】
2016200240.tif 000005
【図４】
2016200240.tif 000006
【図５】
2016200240.tif 000007